(57)【特許請求の範囲】
【請求項１】
無線通信により通信するためのアンテナと、
無線信号を受信し、前記アンテナに重ならない互いに異なる位置に配置された複数のセンサと、
前記複数のセンサのそれぞれにおいて前記無線信号が受信されると、前記複数のセンサのうちの前記無線信号を受信したセンサに応じた態様で、前記アンテナの位置に関する情報を報知する報知手段と、
を備え、
前記複数のセンサは、前記アンテナの位置からの向きが同じであって、前記アンテナの位置から異なる距離の位置に配置された２以上のセンサであり、前記無線信号の受信感度が互いに異なるセンサを含む、
ことを特徴とする電子機器。
【請求項２】
前記無線信号を発信する通信端末に給電するための給電部をさらに備え、
前記複数のセンサは、前記給電部の外側に配置され、
前記報知手段は、前記アンテナの位置に関する情報として、前記給電部の位置に関する情報を報知する、
ことを特徴とする請求項１に記載の電子機器。
【請求項３】
前記報知手段は、複数の報知素子を備え、前記複数のセンサのそれぞれにおいて前記無線信号が受信されると、前記複数の報知素子のうち、前記無線信号が受信されたセンサに対応する報知素子が報知することによって、前記アンテナの位置に関する情報を報知する、
ことを特徴とする請求項１又は２に記載の電子機器。
【請求項４】
前記複数の報知素子のそれぞれは、前記アンテナの位置を基準として、前記複数のセンサのうちの対応するセンサが配置されている側とは逆側に配置されている、
ことを特徴とする請求項３に記載の電子機器。
【請求項５】
前記複数のセンサのそれぞれにおいて、前記無線信号によって電流が誘起され、
前記複数の報知素子のそれぞれは、前記複数のセンサのうちの対応するセンサに接続された発光素子であり、当該対応するセンサから供給された前記電流によって発光する、
ことを特徴とする請求項３又は４に記載の電子機器。
【請求項６】
前記複数のセンサのそれぞれにおいて、前記無線信号によって電流が誘起され、
前記複数のセンサのそれぞれにおいて誘起された前記電流を検出する電流検出手段と、
前記電流検出手段によって前記電流が検出されると、前記複数のセンサのうちの当該電流が検出されたセンサに応じた態様で、前記アンテナの位置に関する情報を報知するように、前記報知手段を制御する報知制御手段と、をさらに備える、
ことを特徴とする請求項１から４のいずれか１項に記載の電子機器。
【請求項７】
前記複数の報知素子のそれぞれは前記複数のセンサのうちの対応するセンサに接続された音声出力素子である、
ことを特徴とする請求項３又は４に記載の電子機器。
【請求項８】
前記複数のセンサは、複数の報知素子に対応付けられたセンサを含む、
ことを特徴とする請求項１から７のいずれか１項に記載の電子機器。
【請求項９】
前記複数のセンサは、前記アンテナの位置を囲む矩形の２つ以上の辺上又は頂点に対応する位置に、それぞれ１つずつ配置されている、
ことを特徴とする請求項１から８のいずれか１項に記載の電子機器。
【請求項１０】
前記複数のセンサは、受信エリアの一部が互いに重なった２以上のセンサを含む、
ことを特徴とする請求項１から９のいずれか１項に記載の電子機器。
【請求項１１】
前記複数のセンサは、前記無線信号の受信感度が互いに異なる複数の受信エリアを有するセンサを含み、
前記複数の受信エリアを有するセンサは、受信感度の大きさが第１の感度である第１受信エリアと受信感度の大きさが第２の感度である第２受信エリアとが、前記アンテナの位置からの向きが同じであって、前記アンテナの位置から異なる距離の位置に配置するように設けられている、
ことを特徴とする請求項１から９のいずれか１項に記載の電子機器。
【請求項１２】
無線信号を発信する通信端末と、
無線通信により通信するためのアンテナと、前記無線信号を受信し、前記アンテナに重ならない互いに異なる位置に配置された複数のセンサと、前記複数のセンサのそれぞれにおいて前記無線信号が受信されると、前記複数のセンサのうちの前記無線信号を受信したセンサに応じた態様で、前記アンテナの位置に関する情報を報知する報知手段と、を有し、前記複数のセンサは、前記アンテナの位置からの向きが同じであって、前記アンテナの位置から異なる距離の位置に配置された２以上のセンサであり、前記無線信号の受信感度が互いに異なるセンサを含む電子機器と、
を備えることを特徴とする報知システム。
【請求項１３】
無線通信により通信するためのアンテナに重ならない互いに異なる位置に配置された複数のセンサのそれぞれによって、無線信号を受信し、
前記複数のセンサのそれぞれにおいて前記無線信号が受信されると、前記複数のセンサのうちの前記無線信号を受信したセンサに応じた態様で、前記アンテナの位置に関する情報を報知し、
前記複数のセンサは、前記アンテナの位置からの向きが同じであって、前記アンテナの位置から異なる距離の位置に配置された２以上のセンサであり、前記無線信号の受信感度が互いに異なるセンサを含む、
ことを特徴とする報知方法。
【発明の詳細な説明】
【技術分野】
【０００１】
本発明は、電子機器、報知システム、及び、報知方法に関する。
【背景技術】
【０００２】
ＮＦＣ（Near Field Communication）等の近接無線通信（近接場型の無線通信又は非接触型の無線通信ともいう。）の技術が知られている。
【０００３】
例えば特許文献１は、近接無線通信の１つであるＦｅｌｉＣａ（登録商標）による無線通信において、ケースに内蔵されたアンテナの位置を補助表示させる技術を開示している。具体的に説明すると、特許文献１に記載された通信端末は、表示装置の表示範囲内にアンテナの位置が含まれているか否かによって、アンテナの位置の補助表示を切り替える。これにより、近接無線通信するために端末同士を近接させた際にも、使用者はアンテナの位置を明確に認識することができるため、確実に近接無線通信を行うことができる。
【先行技術文献】
【特許文献】
【０００４】
【特許文献１】特開２００９−３３５９０号公報
【発明の概要】
【発明が解決しようとする課題】
【０００５】
このように、ＮＦＣ等の通信エリアが狭い近接無線通信を行うためには、通信する２つの機器のアンテナの位置を把握することが必要である。特に、２つの機器のうちのどちらか又は両方が比較的大きなサイズの機器である場合、その機器のアンテナの位置を把握することは難しい場合がある。また、近接無線通信を開始する前に、通信する２つの機器のアンテナを互いに対向するように配置する際、ユーザは一方の機器を手に持って他方の機器にかざす動作をするが、機器をかざすことによって、アンテナの位置が一層把握しにくくなる。そのため、アンテナの位置を見付けるためにユーザが試行錯誤する場合があった。更には、アンテナ以外の位置についても、ユーザが見付けることに苦労する場合があった。このような課題に鑑み、アンテナ等の位置をユーザが容易に見付けることができるように、ユーザに報知する手法が求められていた。
【０００６】
本発明は、以上のような課題を解決するためのものであり、ユーザに、無線信号を発信する装置を、自装置の予め定められた位置の近くへ移動するように誘導可能な電子機器、報知システム、及び、報知方法を提供することを目的とする。
【課題を解決するための手段】
【０００７】
上記目的を達成するため、本発明に係る電子機器は、
無線通信により通信するためのアンテナと、
無線信号を受信し、前記アンテナに重ならない互いに異なる位置に配置された複数のセンサと、
前記複数のセンサのそれぞれにおいて前記無線信号が受信されると、前記複数のセンサのうちの前記無線信号を受信したセンサに応じた態様で、前記アンテナの位置に関する情報を報知する報知手段と、
を備え、
前記複数のセンサは、前記アンテナの位置からの向きが同じであって、前記アンテナの位置から異なる距離の位置に配置された２以上のセンサであり、前記無線信号の受信感度が互いに異なるセンサを含む、
ことを特徴とする。
【発明の効果】
【０００８】
本発明によれば、ユーザに、無線信号を発信する装置を、自装置の予め定められた位置の近くへ移動するように誘導可能な電子機器、報知システム、及び、報知方法を提供することができる。
【図面の簡単な説明】
【０００９】
【図１】本実施形態に係る電子機器を含む無線通信システムの概要を示す図である。
【図２】本実施形態に係る電子機器として機能する印刷装置の構成を示すブロック図である。
【図３】印刷装置とＮＦＣを介して通信する通信端末の構成を示すブロック図である。
【図４】印刷装置が備える誘導装置の構成を示すブロック図である。
【図５】誘導装置におけるセンサ及びＬＥＤの配置を示す図である。
【図６】印刷装置のＮＦＣアンテナに通信端末が近接した様子を示す図である。
【図７】誘導装置に備えられたセンサに通信端末が近接した様子を示す第１の図である。
【図８】誘導装置に備えられたセンサに通信端末が近接した様子を示す第２の図である。
【図９】無線通信システムにおいて実行されるＮＦＣの接続確立処理の流れを示すフローチャートである。
【図１０】誘導装置において実行されるＮＦＣアンテナの位置への誘導処理の流れを示すフローチャートである。
【図１１】変形例における誘導装置の構成を示すブロック図である。
【図１２】変形例における誘導装置の構成を示すブロック図である。
【図１３】変形例におけるセンサ及びＬＥＤの配置を示す図である。
【図１４】変形例におけるセンサ及びＬＥＤの配置を示す図である。
【図１５】変形例におけるセンサ及びＬＥＤの配置を示す図である。
【図１６】変形例におけるセンサ及びＬＥＤの配置を示す図である。
【図１７】変形例におけるセンサ及びＬＥＤの配置を示す図である。
【図１８】変形例におけるセンサ及びＬＥＤの配置を示す図である。
【発明を実施するための形態】
【００１０】
以下、本発明の実施形態について、図面を参照して説明する。なお、図中同一又は相当する部分には同一符号を付す。
【００１１】
図１に、本実施形態に係る電子機器を含む無線通信システム１を示す。無線通信システム１は、本実施形態に係る電子機器として機能する印刷装置１００と、この印刷装置１００と通信する通信端末２００と、を備える。無線通信システム１は、印刷装置１００に備えられたアンテナの位置に関する情報を報知する報知システムとして機能する。
【００１２】
印刷装置１００は、印刷紙等の印刷記録媒体に所望の印刷パターンを印刷する印刷機能を備える。印刷装置１００は、例えば住居、会社、工場、公共施設等のような施設内に設置されている。通信端末２００は、例えばスマートフォン等のような、ユーザが把持しながら操作可能な携帯型の端末装置である。通信端末２００は、ＮＦＣを介して、印刷装置１００と通信する。
【００１３】
ＮＦＣは、近接無線通信（近接場型の無線通信又は非接触型の無線通信ともいう。）である。ＮＦＣの通信エリアは、数センチから数十センチ程度の極短距離の範囲に限られており、無線ＬＡＮ（Local Area Network）やＢｌｕｅｔｏｏｔｈ（登録商標）等のような近距離無線通信の通信エリアよりも狭い。
【００１４】
例えばユーザが、把持している通信端末２００を印刷装置１００に近付ける（かざす）ことにより、通信端末２００のＮＦＣアンテナと印刷装置１００のＮＦＣアンテナとがＮＦＣによる通信が可能な通信エリア内にまで近接すると、印刷装置１００と通信端末２００との間でＮＦＣによる通信が開始する。印刷装置１００と通信端末２００とは、ＮＦＣによって直接データを送受信してもよい。或いは、印刷装置１００と通信端末２００との間で容量の多いデータを送受信する場合には、ハンドオーバの手法により、端末間のペアリング及び認証だけをＮＦＣで行い、実際の通信をより高速で通信距離が長い無線通信である無線ＬＡＮやＢｌｕｅｔｏｏｔｈ等に引き継いでもよい。
【００１５】
なお、以下では、通信端末２００が、ＮＦＣによる通信を開始するイニシエータとして機能し、印刷装置１００が、イニシエータの命令に受動的に従うターゲットとして機能する場合を例にとって、説明する。
【００１６】
図２に、印刷装置１００の構成を示す。印刷装置１００は、ＣＰＵ（Central Processing Unit）１１０と、メモリ１１１と、ＮＦＣ通信部１２１と、ＮＦＣアンテナ１２２と、無線ＬＡＮ通信部１３１と、無線ＬＡＮアンテナ１３２と、印刷制御部１５０と、印刷部１５１と、を備える。
【００１７】
ＣＰＵ１１０は、例えばマイクロプロセッサ等であって、様々な処理や演算を実行する中央演算処理部である。ＣＰＵ１１０は、命令やデータを転送するための伝送経路であるシステムバスを介して印刷装置１００の各部と接続され、印刷装置１００全体を制御する。
【００１８】
メモリ１１１は、例えばＣＰＵ１１０のワークメモリとして機能するＲＡＭ（Random Access Memory）、及びＲＯＭ（Read Only Memory）やフラッシュメモリ等のような不揮発性メモリを含む。メモリ１１１は、ＣＰＵ１１０が各種処理を行うために使用する各種プログラム及びデータ、ＣＰＵ１１０が各種処理を行うことにより生成又は取得する各種データを記憶する。
【００１９】
また、印刷装置１００は、図示しないが、ユーザからの操作入力を受け付ける入力部と、各種画像を表示する表示部と、を備える。ＣＰＵ１１０は、入力部を介して入力された各種データをメモリ１１１に保存し、メモリ１１１に保存された各種データを、表示部を介して外部に表示出力する。
【００２０】
ＮＦＣアンテナ１２２は、ターゲットとして機能する印刷装置１００が、ＮＦＣによって通信するためのアンテナである。ＮＦＣ通信部１２１は、ＮＦＣアンテナ１２２を介して、イニシエータである通信端末２００とＮＦＣ通信する。
【００２１】
より詳細に説明すると、ＮＦＣ通信部１２１は、印刷装置１００がターゲットとして機能するためのＮＦＣ−ＴＡＧ（ＮＦＣタグ）を備える。ＮＦＣタグは、イニシエータによってデータが読み書きされるＩＣ（Integrated Circuit）チップを内蔵したタグである。このＩＣチップは、イニシエータとの間に生じる磁界によって誘導電流が流れるコイルを搭載し、コイルに流れる誘導電流によって、データが更新される。例えば、イニシエータとして機能する通信端末２００が、ＮＦＣの通信エリアである至近距離まで印刷装置１００に近接すると、ＮＦＣタグに記憶されているデータが読み書きされる。
【００２２】
無線ＬＡＮ通信部１３１は、ＣＰＵ１１０の制御のもと、無線ＬＡＮアンテナ１３２を介して無線通信するための無線ＬＡＮモジュールである。無線ＬＡＮ通信部１３１は、ＤＳＰ（Digital Signal Processor）等のプロセッサ、及び、シリアル／パラレル変換回路やベースバンド回路等の各種の回路を備える。
【００２３】
より詳細に説明すると、無線ＬＡＮ通信部１３１は、ＣＰＵ１１０から供給された送信データに対してシリアル／パラレル変換等の処理を実行して、送信データを無線ＬＡＮアンテナ１３２から通信先となる通信端末２００に送信する。また、無線ＬＡＮ通信部１３１は、通信端末２００から送信されたデータを、無線ＬＡＮアンテナ１３２を介して受信すると、受信データに対してシリアル／パラレル変換等の処理を実行して、受信データをＣＰＵ１１０に供給する。
【００２４】
印刷部１５１は、例えば無線ＬＡＮ通信部１３１を介して受信した印刷データに従って、印刷処理を実行する印刷機構である。具体的に説明すると、印刷部１５１は、トナー画像を形成する画像形成部、搬送ローラ等によって印刷媒体を搬送する搬送部、印刷媒体にトナー画像を熱定着させる定着装置等を備える。印刷制御部１５０は、ＣＰＵ１１０の制御のもと、このような印刷部１５１を制御する。
【００２５】
また、印刷装置１００は、ＮＦＣアンテナ１２２の位置をユーザに誘導（ガイド）するための誘導装置１０を備える。誘導装置１０については、後ほど、図４〜図８を参照しながら詳細に説明する。
【００２６】
通信端末２００は、図３に示すように構成される。通信端末２００は、ＣＰＵ２１０と、メモリ２１１と、入力部２１２と、表示部２１３と、ＮＦＣ通信部２２１と、ＮＦＣアンテナ２２２と、無線ＬＡＮ通信部２３１と、無線ＬＡＮアンテナ２３２と、を備える。
【００２７】
ＣＰＵ２１０は、例えばマイクロプロセッサ等であって、様々な処理や演算を実行する中央演算処理部である。ＣＰＵ２１０は、命令やデータを転送するための伝送経路であるシステムバスを介して通信端末２００の各部と接続され、通信端末２００全体を制御する。
【００２８】
メモリ２１１は、例えばＣＰＵ２１０のワークメモリとして機能するＲＡＭ、及びＲＯＭやフラッシュメモリ等のような不揮発性メモリを含む。メモリ２１１は、ＣＰＵ２１０が各種処理を行うために使用する各種プログラム及びデータ、ＣＰＵ２１０が各種処理を行うことにより生成又は取得する各種データを記憶する。
【００２９】
入力部２１２は、例えばキーボード、マウス、ボタン又はタッチパネル等の入力手段を備える。入力部２１２は、ユーザから入力された各種の操作指示を受け付け、受け付けた操作指示をＣＰＵ２１０に送信する。
【００３０】
表示部２１３は、例えば液晶ディスプレイ等のような表示手段を備える。表示部２１３は、例えば印刷装置１００に送信するデータ等、各種の情報をＣＰＵ２１０から取得して、取得した情報を示す画像を表示する。
【００３１】
ＮＦＣアンテナ２２２は、イニシエータとして機能する通信端末２００が、ＮＦＣによって通信するためのアンテナである。ＮＦＣ通信部２２１は、ＮＦＣアンテナ２２２を介して、ターゲットとして機能する印刷装置１００とＮＦＣ通信する。
【００３２】
より詳細に説明すると、ＮＦＣ通信部２２１は、ＮＦＣタグに対してデータを読み書き可能なリーダ／ライタ機能を備える。ＮＦＣ通信部２２１は、ターゲットのＮＦＣタグを検出するための検出コマンドとして、自機の周りに磁界を、予め定められた周期で繰り返し発信する。そして、ＮＦＣ通信部２２１は、検出コマンドによって自機に近接したターゲットのＮＦＣタグを検出すると、ターゲットのＮＦＣタグに内蔵されたＩＣチップに誘導電流を発生させることにより、ＮＦＣタグにデータを読み書きする。例えば、ユーザが通信端末２００を印刷装置１００に近づけて「かざす」だけで、印刷装置１００のＮＦＣタグに記憶されたデータを取得したり、ＮＦＣタグに新たにデータを書き込んだりすることができる。
【００３３】
無線ＬＡＮ通信部２３１は、ＣＰＵ２１０の制御のもと、無線ＬＡＮアンテナ２３２を介して無線通信するための無線ＬＡＮモジュールである。無線ＬＡＮ通信部２３１は、ＤＳＰ等のプロセッサ、及び、シリアル／パラレル変換回路やベースバンド回路等の各種の回路を備える。
【００３４】
より詳細に説明すると、無線ＬＡＮ通信部２３１は、ＣＰＵ２１０から供給された送信データに対してシリアル／パラレル変換等の処理を実行して、送信データを無線ＬＡＮアンテナ２３２から通信先となる印刷装置１００に送信する。また、無線ＬＡＮ通信部２３１は、印刷装置１００から送信されたデータを、無線ＬＡＮアンテナ２３２を介して受信すると、受信データに対してシリアル／パラレル変換等の処理を実行して、受信データをＣＰＵ２１０に供給する。
【００３５】
次に、印刷装置１００が備える誘導装置１０について、図４〜図８を参照しながら説明する。図４に、誘導装置１０の構成を示す。誘導装置１０は、受信部１２と、報知部１３と、電流検出部１４と、報知制御部１５と、を備える。
【００３６】
受信部１２は、４つのセンサ２０ａ〜２０ｄを備える。４つのセンサ２０ａ〜２０ｄのそれぞれは、通信端末２００から発信された、ＮＦＣによる無線信号である検出コマンドを受信するセンサであって、ＮＦＣアンテナ１２２とは異なる位置に、また、互いに異なる位置に配置されている。受信部１２は、イニシエータとの間に生じる磁界によって誘導電流が流れるコイルを搭載し、コイルに流れた誘導電流は、そのコイルに接続されている発光素子であるＬＥＤや各回路へと伝達される。受信部１２は、受信手段の一例である。
【００３７】
報知部１３は、それぞれ発光素子である４つのＬＥＤ（Light Emitting Diode）（報知素子）３０ａ〜３０ｄを備える。報知部１３は、受信部１２に備えられた４つのセンサ２０ａ〜２０ｄのそれぞれにおいてＮＦＣによる無線信号（検出コマンド）が受信されると、４つのセンサ２０ａ〜２０ｄのうちの検出コマンドを受信したセンサ２０に応じた態様で、自機のＮＦＣアンテナ１２２の位置に関する情報を報知する。報知部１３は、報知手段の一例である。
【００３８】
図５に、誘導装置１０における４つのセンサ２０ａ〜２０ｄ及び４つのＬＥＤ３０ａ〜３０ｄの配置を示す。図５における破線は、印刷装置１００に備えられたＮＦＣアンテナ１２２の位置を示している。誘導装置１０は、その中央部に印刷装置１００のＮＦＣアンテナ１２２が位置し、４つのセンサ２０ａ〜２０ｄ及び４つのＬＥＤ３０ａ〜３０ｄがＮＦＣアンテナ１２２の周囲に位置するように、印刷装置１００に設置されている。
【００３９】
なお、４つのセンサ２０ａ〜２０ｄは、それぞれ互いに同等の構成及び機能を有する。そのため、以下では、４つのセンサ２０ａ〜２０ｄのそれぞれを特に区別せず称する場合には、センサ２０と称する。同様に、４つのＬＥＤ３０ａ〜３０ｄは、それぞれ互いに同等の構成及び機能を有する。そのため、以下では、４つのＬＥＤ３０ａ〜３０ｄのそれぞれを特に区別せず称する場合には、ＬＥＤ３０と称する。
【００４０】
４つのセンサ２０ａ〜２０ｄのそれぞれは、互いに同じ形状であって、ＮＦＣアンテナ１２２の周囲において、ＮＦＣアンテナ１２２から互いに同じ距離の位置に等方的に配置されている。より詳細に説明すると、４つのセンサ２０ａ〜２０ｄは、ＮＦＣアンテナ１２２を囲む仮想的な矩形５０（図５において一点鎖線で示した図形）を考えた場合に、この矩形５０の４つの辺上に、それぞれ１つずつ配置されている。なお、この矩形５０は、理解を容易にするために仮想的に図中に描いたものであって、実際には誘導装置１０上に描かれていない。
【００４１】
４つのセンサ２０ａ〜２０ｄのそれぞれは、通信端末２００から発信された検出コマンドによって内部に電流が誘起されることによって、検出コマンドを受信する。具体的に説明すると、４つのセンサ２０ａ〜２０ｄのそれぞれは、導線を円環状に巻いたコイル（ループアンテナ）を有する。検出コマンドによる磁束がコイルを貫くと、誘導起電力が発生し、これによってコイルに誘導電流が流れる。
【００４２】
このような４つのセンサ２０ａ〜２０ｄのそれぞれは、ＮＦＣアンテナ１２２に重ならない位置、具体的には、ＮＦＣアンテナ１２２のＮＦＣによる通信エリアの外側に配置されている。すなわち、印刷装置１００とのＮＦＣ通信できない場所に位置している通信端末２００から発信された検出コマンドを受信できるように、各センサ２０の受信エリアの少なくとも一部は、ＮＦＣアンテナ１２２のＮＦＣによる通信エリアの外側に設けられている。
【００４３】
例えば図６は、ユーザが印刷装置１００のＮＦＣアンテナ１２２の位置を見付けることができ、通信端末２００のＮＦＣアンテナ２２２を印刷装置１００のＮＦＣアンテナ１２２に近接させた（かざした）場合を示している。図６において、通信端末２００内の破線は、通信端末２００に備えられたＮＦＣアンテナ２２２の位置を示している。
【００４４】
図６に示すように、通信端末２００のＮＦＣアンテナ２２２と印刷装置１００のＮＦＣアンテナ１２２とが、ＮＦＣの通信エリアである至近距離まで近接した場合、ＮＦＣアンテナ２２２から発信された検出コマンドは、印刷装置１００のＮＦＣアンテナ１２２によって受信される。その結果、通信端末２００は、印刷装置１００との間で、ＮＦＣによる通信を正常に開始することができる。なお、通信端末２００のＮＦＣアンテナ２２２は指向性が強く、例えば、通信端末２００のＮＦＣアンテナ２２２を印刷装置１００のＮＦＣアンテナ１２２に対して略平行に保持し、かつ、通信端末２００のＮＦＣアンテナ２２２がなす閉領域が、印刷装置１００のＮＦＣアンテナ１２２がなす閉領域に重なるように、通信端末２００を印刷装置１００上にかざすことで、初めて、通信端末２００は、印刷装置１００との間で、ＮＦＣによる通信を正常に開始することができるように構成されていることもある。また、ＮＦＣアンテナ２２２の指向性は固定的であり、通信端末２００側で、ＮＦＣアンテナ２２２の指向性を調整することは、通常は行われない。このため、特に、通信端末２００のＮＦＣアンテナ２２２や印刷装置１００のＮＦＣアンテナ１２２の平面サイズが小さい場合などは、これらの間で通信を正常に開始するのにユーザが苦労することがある。
【００４５】
一方で、図７及び図８は、通信端末２００が、印刷装置１００のＮＦＣアンテナ１２２の位置まで近接していない場合を示している。
【００４６】
例えば、図７に示すように、通信端末２００のＮＦＣアンテナ２２２が、４つのセンサ２０ａ〜２０ｄのうちのセンサ２０ａに近接した場合、ＮＦＣアンテナ２２２から発信された検出コマンドは、印刷装置１００のＮＦＣアンテナ１２２によっては受信されず、このセンサ２０ａによって受信される。これに対して、図８に示すように、通信端末２００のＮＦＣアンテナ２２２が、４つのセンサ２０ａ〜２０ｄのうちのセンサ２０ｂに近接した場合、ＮＦＣアンテナ２２２から発信された検出コマンドは、印刷装置１００のＮＦＣアンテナ１２２によっては受信されず、このセンサ２０ｂによって受信される。
【００４７】
このように、４つのセンサ２０ａ〜２０ｄは、通信端末２００が、印刷装置１００のＮＦＣアンテナ１２２によって検出コマンドを受信できない位置にある場合において、その通信端末２００から発信された検出コマンドを受信できる位置に設けられている。このような４つのセンサ２０ａ〜２０ｄのいずれかにおいて、通信端末２００から発信された検出コマンドが受信されると、誘導装置１０は、ＮＦＣアンテナ１２２の位置に通信端末２００を誘導する。
【００４８】
図４に示す誘導装置１０の構成の説明に戻る。電流検出部１４は、４つのセンサ２０ａ〜２０ｄのそれぞれにおいて誘起された電流を検出する。電流検出部１４は、電流検出手段の一例である。
【００４９】
具体的に説明すると、電流検出部１４は、４つのセンサ２０ａ〜２０ｄのそれぞれにおけるコイルに接続された、電流値を測定する回路等を備え、４つのセンサ２０ａ〜２０ｄのそれぞれにおいて生じた電流値を測定する。そして、電流検出部１４は、ＣＰＵ等の制御回路の機能によって、４つのセンサ２０ａ〜２０ｄのいずれかの電流値が予め定められた閾値を超えたか否かを判別し、電流値が予め定められた閾値を超えた場合に、そのセンサ２０において検出コマンドが受信されたと判別する。これにより、電流検出部１４は、４つのセンサ２０ａ〜２０ｄのうちのどのセンサ２０において検出コマンドを受信したかを判別する。
【００５０】
報知制御部１５は、電流検出部１４によって電流が検出されると、電流が検出されたセンサ２０に応じた態様で、ＮＦＣアンテナ１２２の位置に関する情報を報知するように、報知部１３を制御する。報知制御部１５は、報知制御手段の一例である。
【００５１】
具体的に説明すると、報知制御部１５は、ＣＰＵ等の制御回路の機能によって実現され、電流検出部１４による電流の検出に基づいて、報知部１３に備えられた４つのＬＥＤ３０ａ〜３０ｄの発光を制御する。このような電流検出部１４及び報知制御部１５として機能するＣＰＵ等の制御回路は、誘導装置１０内に独自に備えられていてもよい。或いは、電流検出部１４及び報知制御部１５は、上述した印刷装置１００のＣＰＵ１１０の制御によって実現されてもよい。以下、報知制御部１５によって実行される報知部１３の制御について、具体的に説明する。
【００５２】
４つのＬＥＤ３０ａ〜３０ｄのそれぞれは、報知制御部１５による制御によって、予め定められた色（波長）の光を発する発光素子である。図５に示すように、４つのＬＥＤ３０ａ〜３０ｄは、４つのセンサ２０ａ〜２０ｄの外側であって、誘導装置１０の縁部にそれぞれ設置されている。
【００５３】
これら４つのＬＥＤ３０ａ〜３０ｄは、４つのセンサ２０ａ〜２０ｄと１対１で対応している。すなわち、ＬＥＤ３０ａとセンサ２０ａとが対応し、ＬＥＤ３０ｂとセンサ２０ｂとが対応し、ＬＥＤ３０ｃとセンサ２０ｃとが対応し、ＬＥＤ３０ｄとセンサ２０ｄとが対応している。報知部１３は、４つのセンサ２０ａ〜２０ｄのそれぞれにおいて、通信端末２００から発信された検出コマンドが受信されると、検出コマンドが受信されたセンサ２０に対応するＬＥＤ３０が発光することによって、ＮＦＣアンテナ１２２の位置に関する情報を報知する。
【００５４】
例えば図７に示すように、通信端末２００のＮＦＣアンテナ２２２が、４つのセンサ２０ａ〜２０ｄのうちのセンサ２０ａに近接した場合、ＮＦＣアンテナ２２２から発信された検出コマンドは、センサ２０ａによって受信される。このようなセンサ２０ａによる検出コマンドの受信を電流検出部１４が検出すると、報知制御部１５は、図７に示すように、報知部１３を制御して、４つのＬＥＤ３０ａ〜３０ｄのうちの、センサ２０ａに対応するＬＥＤ３０ａ、すなわちＮＦＣアンテナ１２２の位置を基準としてセンサ２０ａが配置されている側とは逆側に配置されているＬＥＤ３０ａ、を発光させる。このように、ＮＦＣアンテナ１２２の位置に対してセンサ２０ａとは反対側のＬＥＤ３０ａを発光させることにより、報知部１３は、印刷装置１００のＮＦＣアンテナ１２２が、通信端末２００の現在の位置よりもＬＥＤ３０ａ側に位置していることを、ユーザに報知する。
【００５５】
これに対して、図８に示すように、通信端末２００のＮＦＣアンテナ２２２が、４つのセンサ２０ａ〜２０ｄのうちのセンサ２０ｂに近接した場合、ＮＦＣアンテナ２２２から発信された検出コマンドは、センサ２０ｂによって受信される。このようなセンサ２０ｂによる検出コマンドの受信を電流検出部１４が検出すると、報知制御部１５は、図８に示すように、報知部１３を制御して、４つのＬＥＤ３０ａ〜３０ｄのうちのセンサ２０ｂに対応するＬＥＤ３０ｂ、すなわちＮＦＣアンテナ１２２の位置を基準としてセンサ２０ｂが配置されている側とは逆側に配置されているＬＥＤ３０ｂ、を発光させる。このように、ＮＦＣアンテナ１２２の位置に対してセンサ２０ｂとは反対側のＬＥＤ３０ｂを発光させることにより、報知部１３は、印刷装置１００のＮＦＣアンテナ１２２が、通信端末２００の現在の位置よりもＬＥＤ３０ｂ側に位置していることを、ユーザに報知する。
【００５６】
図示していないが、センサ２０ｃ及びセンサ２０ｄによって検出コマンドが受信された場合も同様である。すなわち、通信端末２００のＮＦＣアンテナ２２２がセンサ２０ｃに近接し、ＮＦＣアンテナ２２２から発信された検出コマンドがセンサ２０ｃによって受信されると、報知制御部１５は、ＮＦＣアンテナ１２２の位置を基準としてセンサ２０ｃが配置されている側とは逆側に配置されているＬＥＤ３０ｃ、を発光させる。また、通信端末２００のＮＦＣアンテナ２２２がセンサ２０ｄに近接し、ＮＦＣアンテナ２２２から発信された検出コマンドがセンサ２０ｄによって受信されると、報知制御部１５は、ＮＦＣアンテナ１２２の位置を基準としてセンサ２０ｄが配置されている側とは逆側に配置されているＬＥＤ３０ｄ、を発光させる。
【００５７】
このように、報知制御部１５は、上側のセンサ２０で検出コマンドを受信した場合には下側のＬＥＤ３０を発光させ、下側のセンサ２０で検出コマンドを受信した場合には上側のＬＥＤ３０を発光させ、左側のセンサ２０で検出コマンドを受信した場合には右側のＬＥＤ３０を発光させ、右側のセンサ２０で検出コマンドを受信した場合には左側のＬＥＤ３０を発光させるように、報知部１３を制御する。このように、ＮＦＣアンテナ１２２の位置を基準として、検出コマンドを受信したセンサ２０の位置とは相対する位置のＬＥＤ３０を発光させることにより、誘導装置１０は、通信端末２００がＮＦＣアンテナ１２２からずれた位置に近接した場合に、通信端末２００を、ＮＦＣアンテナ１２２の位置へ誘導（ガイド）することができる。また、発光するＬＥＤ３０が対応するセンサ２０とは逆側に配置されているので、印刷装置１００に近接した通信端末２００によって発光するＬＥＤ３０が隠れてしまってユーザが視認できなくなることを抑制できる。
【００５８】
以上のような無線通信システム１において実行される処理の流れについて、図９及び図１０に示すフローチャートを参照して、説明する。図９に示すフローチャートは、印刷装置１００と通信端末２００との間でのＮＦＣの接続確立処理の流れを示しており、図１０に示すフローチャートは、印刷装置１００が備える誘導装置１０において実行される誘導処理の流れを示している。
【００５９】
図９のフローチャートに示すＮＦＣの接続確立処理は、イニシエータとして機能する通信端末２００、及び、ターゲットとして機能する印刷装置１００のそれぞれにおいて、電源が投入されてＮＦＣ通信が可能な状態になると、開始する。
【００６０】
ターゲットとして機能する印刷装置１００において、ＮＦＣ通信部１２１は、ＮＦＣ通信が可能な状態になると、ＮＦＣアンテナ１２２によって、通信端末２００等のイニシエータ機能を有する端末から発信された検出コマンドを受信するまで待機している（ステップＳ１１）。
【００６１】
一方、イニシエータとして機能する通信端末２００では、ＮＦＣ通信部２２１は、ＮＦＣ通信が可能な状態になると、検出コマンドを発信するタイミングが到来したか否かを判定する（ステップＳ２１）。
【００６２】
具体的に説明すると、ＮＦＣ通信部２２１は、予め定められた周期で検出コマンドを発信する。そのため、ＮＦＣ通信部２２１は、自機が最後に検出コマンドを発信した時刻からの経過時間を計時部によって計測し、最後に検出コマンドを発信した時刻から予め定められた周期に相当する時間よりも短い時間が経過した場合に、検出コマンドを発信するタイミングが到来していないと判定する（ステップＳ２１；ＮＯ）。最後に検出コマンドを発信した時刻から予め定められた周期に相当する時間が経過した場合に、検出コマンドを発信するタイミングが到来したと判定する（ステップＳ２１；ＹＥＳ）。検出コマンドを発信するタイミングが到来すると、ＮＦＣ通信部２２１は、ＮＦＣアンテナ２２２を介して、自機の周囲のＮＦＣによる通信エリア内に、検出コマンドを発信する（ステップＳ２２）。
【００６３】
検出コマンドを発信すると、ＮＦＣ通信部２２１は、印刷装置１００等のターゲット機能を有する機器からの応答を受信したか否かを判定する（ステップＳ２３）。応答を受信していない場合（ステップＳ２３；ＮＯ）、通信端末２００の処理は、ステップＳ２１の処理に戻る。すなわち、ＮＦＣ通信部２２１は、計時を再開して、次に検出コマンドを発信するタイミングが到来したか否かを再度判定する。このように、通信端末２００は、電源が落ちている状態等のようなＮＦＣ通信が不可能な状態でない限り、一定の周期で検出コマンドを発信し続ける。
【００６４】
このように一定の周期で検出コマンドを発信している通信端末２００が、印刷装置１００に近接して、印刷装置１００に搭載されたＮＦＣアンテナ１２２の通信エリア内に入るまでの間、印刷装置１００において、ＮＦＣ通信部１２１は、ＮＦＣアンテナ１２２を介して、通信端末２００から発信された検出コマンドを受信したか否かを判定する（ステップＳ１２）。
【００６５】
ＮＦＣアンテナ１２２を介して検出コマンドを受信すると（ステップＳ１２；ＹＥＳ）、ＮＦＣ通信部１２１は、ＮＦＣアンテナ１２２を介して、検出コマンドの発信元である通信端末２００に、検出コマンドに対する応答を送信する（ステップＳ１３）。検出コマンドを受信していない場合（ステップＳ１２；ＮＯ）、印刷装置１００の処理は、ステップＳ１１の処理に戻る。すなわち、ＮＦＣ通信部１２１は、ＮＦＣアンテナ１２２によって、通信端末２００等のイニシエータ機能を有する端末から発信された検出コマンドを受信するまで再び待機する。
【００６６】
通信端末２００において、ＮＦＣ通信部２２１は、ＮＦＣアンテナ２２２を介して、印刷装置１００から送信された応答を受信する（ステップＳ２３；ＹＥＳ）。通信端末２００は、応答を受信することにより、印刷装置１００がＮＦＣ通信のターゲットとなる機器であることを判別する。
【００６７】
通信端末２００が印刷装置１００からの応答を受信すると、通信端末２００のＮＦＣ通信部２２１及び印刷装置１００のＮＦＣ通信部１２１は、ペアリング（相互認証）、通信モードの設定等を行って、両端末間におけるＮＦＣの接続を確立する（ステップＳ１４，Ｓ２４）。ＮＦＣの接続が確立すると、通信端末２００と印刷装置１００とは、ＮＦＣによってデータを直接通信してもよいし、ハンドオーバによって無線ＬＡＮやＢｌｕｅｔｏｏｔｈ等に通信を引き継いでもよい。以上により、図９のフローチャートに示したＮＦＣの接続確立処理は終了する。
【００６８】
このようにＮＦＣによる無線通信を行うために通信端末２００が印刷装置１００に近接した場合であっても、通信端末２００がＮＦＣアンテナ１２２の通信エリア内に入っていなければ、印刷装置１００は、ＮＦＣアンテナ１２２によっては検出コマンドを受信しない。誘導装置１０は、このようにＮＦＣアンテナ１２２の通信エリア内に入っていない通信端末２００を、ＮＦＣアンテナ１２２の位置へ誘導（ガイド）する処理を実行する。このような誘導装置１０の誘導処理の流れについて、図１０を参照して説明する。
【００６９】
図１０のフローチャートに示す誘導装置１０の誘導処理は、誘導装置１０に電力が供給されて、通信端末２００から発信された検出コマンドを検出可能な状態になると、開始する。
【００７０】
誘導装置１０において、報知制御部１５は、受信部１２に備えられた４つのセンサ２０ａ〜２０ｄのいずれかで検出コマンドを受信したか否かを判定する（ステップＳ３１）。すなわち、報知制御部１５は、電流検出部１４で検出された各センサ２０の電流値を監視して、４つのセンサ２０ａ〜２０ｄのいずれかにおいて、電流値が予め定められた閾値を超えた場合に、そのセンサ２０において検出コマンドを受信したと判定する。
【００７１】
４つのセンサ２０ａ〜２０ｄのいずれにおいても検出コマンドが受信されない場合（ステップＳ３１；ＮＯ）、誘導装置１０の処理は、ステップＳ３１に留まり、４つのセンサ２０ａ〜２０ｄのいずれかで検出コマンドが受信されるのを待ち受ける。
【００７２】
一方で、４つのセンサ２０ａ〜２０ｄのいずれかで検出コマンドが受信されると（ステップＳ３１；ＹＥＳ）、報知制御部１５は、報知部１３を制御して、ＮＦＣアンテナ１２２の位置を報知する（ステップＳ３２）。すなわち、報知制御部１５は、報知部１３に備えられた４つのＬＥＤ３０ａ〜３０ｄのうち、検出コマンドを受信したセンサ２０に対応するＬＥＤ３０であって、ＮＦＣアンテナ１２２の位置を基準として検出コマンドを受信したセンサ２０とは逆側のＬＥＤ３０を発光させる。
【００７３】
ＮＦＣアンテナ１２２の位置を報知すると、誘導装置１０の処理は、ステップＳ３１に戻る。すなわち、誘導装置１０は、引き続き４つのセンサ２０ａ〜２０ｄのいずれかで検出コマンドが受信されるのを待ち受ける。そして、いずれかのセンサ２０によって検出コマンドが受信された場合に、検出コマンドを受信したセンサ２０に対応するＬＥＤ３０を発光させる。
【００７４】
このように、誘導装置１０は、検出コマンドを受信可能な状態である限り、４つのセンサ２０ａ〜２０ｄのうちのいずれかのセンサ２０での検出コマンドの検出を待ち受け、いずれかのセンサ２０によって検出コマンドが受信された場合に、検出コマンドを受信したセンサ２０に応じて異なるＬＥＤ３０を発光させる。これにより、印刷装置１００に備えられたＮＦＣアンテナ１２２のおおまかな位置を、ユーザに報知する。
【００７５】
以上説明したように、本実施形態において、ＮＦＣのターゲット機能を有する印刷装置１００は、誘導装置１０において、ＮＦＣアンテナ１２２の周囲に配置された４つのセンサ２０ａ〜２０ｄ及び４つのＬＥＤ３０ａ〜３０ｄを備える。そして、印刷装置１００は、通信端末２００等のイニシエータ機能を有する端末が、印刷装置１００のＮＦＣアンテナ１２２からずれた位置に近接した際に、４つのセンサ２０ａ〜２０ｄのいずれかによってこの端末から発信された検出コマンドを受信し、ＮＦＣアンテナ１２２の位置を基準として検出コマンドを受信したセンサ２０とは逆側のＬＥＤ３０を発光させる。
【００７６】
その結果、イニシエータ機能を有する端末のユーザは、印刷装置１００に備えられたＮＦＣアンテナ１２２の位置を正確に把握していなくても、ＮＦＣアンテナ１２２の位置を容易に推測し、見付けることができる。そのため、ＮＦＣ通信を開始するための、位置調整（位置合わせ）に関するユーザの苦労を軽減することができる。また、センサ２０ａ〜２０ｄを単純なコイルで作成でき、報知部１３をＬＥＤ３０ａ〜３０ｄによって作成できるため、装置の小型化や薄型化が容易である。そのため、本実施形態に係る印刷装置１００は、簡易な構成で、ユーザをＮＦＣアンテナ１２２の位置に誘導することができる。
【００７７】
（変形例）
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【００７８】
例えば、上記実施形態では、誘導装置１０は、４つのセンサ２０ａ〜２０ｄのそれぞれにおいて誘起された電流を検出する電流検出部１４と、電流検出部１４による電流の検出に基づいて４つのＬＥＤ３０ａ〜３０ｄの発光を制御する報知制御部１５と、を備えていた。すなわち、上記実施形態では、誘導装置１０は、４つのセンサ２０ａ〜２０ｄは、ＣＰＵ等の制御回路を経由して間接的に、４つのＬＥＤ３０ａ〜３０ｄに接続されていた。しかしながら、本発明において、誘導装置は、例えば図１１に示す誘導装置１０ａのように、電流検出部１４と報知制御部１５とを備えなくてもよい。
【００７９】
図１１に示す誘導装置１０ａにおいて、報知部１３における４つのＬＥＤ３０ａ〜３０ｄのそれぞれは、受信部１２における４つのセンサ２０ａ〜２０ｄのうちの対応するセンサ２０に、ＣＰＵ等の制御回路を経由せずに接続されている。すなわち、各センサ２０のコイルを形成している導線が、対応するＬＥＤ３０に直接接続されている。
【００８０】
４つのＬＥＤ３０ａ〜３０ｄのそれぞれは、対応するセンサ２０において受信された検出コマンドによって電流が誘起されると、この誘起された電流が流れることによって発光する。通信端末２００等のイニシエータからは検出コマンドが周期的に発信されているため、この検出コマンドを受信したセンサ２０では周期的に電流が誘起される。その結果、この電流が供給されたＬＥＤ３０は、周期的に点滅を繰り返す。このように、各センサ２０を対応するＬＥＤ３０に直接接続することにより、ＮＦＣアンテナ１２２の位置にユーザを誘導するための装置の基板のパターンを、ＣＰＵ等の制御回路を有さない簡易な構成にすることができる。
【００８１】
また、上記実施形態では、報知部１３は、４つのＬＥＤ３０ａ〜３０ｄを備え、４つのセンサ２０ａ〜２０ｄのそれぞれにおいて検出コマンドが受信されると、４つのＬＥＤ３０ａ〜３０ｄのうち、検出コマンドが受信されたセンサ２０に対応するＬＥＤ３０が発光することによって、ＮＦＣアンテナ１２２の位置を報知した。しかしながら、本発明において、誘導装置は、図１２に示す誘導装置１０ｂのように、報知部１３ｂにおいてスピーカ等の音声出力部１７を備え、ＮＦＣアンテナ１２２の位置に関する情報を、音声によって報知してもよい。
【００８２】
図１２に示す誘導装置１０ｂにおいて、報知制御部１５ｂは、４つのセンサ２０ａ〜２０ｄのそれぞれにおいて、検出コマンドによって誘起された電流が電流検出部１４によって検出されると、電流が検出されたセンサ２０に応じた態様で、ＮＦＣアンテナ１２２の位置に関する情報を報知するように、報知部１３ｂの音声出力部１７を制御する。なお、本変形例では、誘導装置１０ｂは、略鉛直平面内にＮＦＣアンテナ１２２、センサ２０、ＬＥＤ３０が配置するように設けられているものとする。具体的には、図５に示す誘導装置１０のセンサ２０ｃ、ＬＥＤ３０ａが鉛直方向上側に、センサ２０ａ、ＬＥＤ３０ｃが鉛直方向下側に、センサ２０ｂ、ＬＥＤ３０ｄが鉛直方向左側に、センサ２０ｄ、ＬＥＤ３０ｂが鉛直方向右側に配置するように設けられている。例えば、ＮＦＣアンテナ１２２の位置よりも下側に位置するセンサ２０ａにおいて検出コマンドを受信した場合、報知部１３ｂは、「もう少し上側の位置に端末をかざして下さい。」等の音声メッセージを、音声出力部１７から出力する。或いは、ＮＦＣアンテナ１２２の位置よりも左側に位置するセンサ２０ｂにおいて検出コマンドを受信した場合、報知御１３ｂは、「もう少し右側の位置に端末をかざして下さい。」等の音声メッセージを、音声出力部１７から出力する。このように、報知部１３ｂは、検出コマンドを検出したセンサ２０の位置を基準とした、ＮＦＣアンテナ１２２の相対的な位置の情報を示す音声メッセージを、音声出力部１７から出力する。これにより、イニシエータ機能を有する端末のユーザを、ＮＦＣアンテナ１２２の位置に誘導する。
【００８３】
なお、例えば、誘導装置１０ｂが、略水平平面内にＮＦＣアンテナ１２２、センサ２０、ＬＥＤ３０が配置するように設けられている場合であって、かつ、音声メッセージだけによりユーザに通信端末２００を適切な位置へ移動するように誘導させる場合には、誘導装置１０ｂによる誘導を開始する前に、ユーザが誘導装置１０ｂに対して適切な相対位置から向き合うように案内をする必要がある。例えば、誘導装置１０ｂに、センサ２０ａが設けられた位置に赤色の下三角形（▽）などの視認可能な識別マークを予め印刷しておく。そして、誘導装置１０ｂの報知部１３ｂは、まず、「赤色の下三角形の手前に立ってください。」等の音声メッセージを、音声出力部１７から出力する。ユーザが誘導装置１０ｂに対して適切な相対位置から向き合ったかどうかは、ユーザの操作により決定しても良いし、近接センサ等によって検出してもよい。ユーザの操作により決定する場合は、誘導装置１０ｂは誘導開始を指示するための指示ボタンを備えるようにして、上記の音声メッセージを出力した後、ユーザにより指示ボタンが押下されるまで待機するようにしてもよい。ユーザが誘導装置１０ｂに対して適切な相対位置から向き合ってからは、上述の変形例と同様の制御を行ってよい。つまり、通信端末２００が発信する検出コマンドによって誘起された電流が電流検出部１４により検出されると、報知制御部１５ｂにより、ＮＦＣアンテナ１２２の位置に関する情報を報知するように、報知部１３ｂの音声出力部１７を制御させる。具体的には、ＮＦＣアンテナ１２２の位置に対してユーザが立っている方に位置するセンサ２０ａにおいて検出コマンドを受信した場合、報知部１３ｂは、「もう少し向こう側に端末をかざして下さい。」等の音声メッセージを、音声出力部１７から出力する。また、ユーザから見てＮＦＣアンテナ１２２の位置より向こう側に位置するセンサ２０ｃにおいて検出コマンドを受信した場合、報知部１３ｂは、「もう少し手前側に端末をかざして下さい。」等の音声メッセージを、音声出力部１７から出力する。これにより、本変形例においても、イニシエータ機能を有する端末のユーザを、ＮＦＣアンテナ１２２の位置に誘導することができる。
【００８４】
上記実施形態では、図５に示したように、誘導装置１０の受信部１２において、円環状の４つのセンサ２０ａ〜２０ｂが、ＮＦＣアンテナ１２２の位置を囲む仮想的な矩形５０の４つの辺上に、それぞれ１つずつ配置されていた。しかしながら、本発明において、センサ２０の数、形状及び位置は、上記実施形態において説明したものに限らない。
【００８５】
例えば、図１３に示す誘導装置１０ｄのように、４つのセンサ２０ａ〜２０ｂは、ＮＦＣアンテナ１２２の位置を囲む仮想的な矩形５０の４つの頂点に、それぞれ１つずつ配置されていてもよい。この場合、４つのＬＥＤ３０ａ〜３０ｄは、ＮＦＣアンテナ１２２に対して４つのセンサ２０ａ〜２０ｄのうちの対応するセンサ２０の逆側、すなわち誘導装置１０ｄの四隅に、配置される。
【００８６】
或いは、誘導装置が備える複数のセンサ２０は、ＮＦＣアンテナ１２２の位置からの向きが同じであって、ＮＦＣアンテナ１２２の位置から異なる距離の位置に配置された２以上のセンサ２０を含んでいてもよい。例えば図１４に示す誘導装置１０ｅは、ＮＦＣアンテナ１２２から遠い位置に配置された４つのセンサ２０ａ〜２０ｄと、ＮＦＣアンテナ１２２から近い位置に配置された４つのセンサ２０ｅ〜２０ｈと、を備える。これら８つのセンサ２０ａ及び２０ｅ、センサ２０ｂ及び２０ｆ、センサ２０ｃ及び２０ｇ、センサ２０ｄ及び２０ｈは、ＮＦＣアンテナ１２２に対して逆側に配置された４つのＬＥＤ３０ａ、３０ｂ、３０ｃ、３０ｄと、２対１で対応している。ＮＦＣアンテナ１２２に対して同じ側に配置された２つのセンサ２０のどちらで検出コマンドが受信されても、逆側に配置された１つのＬＥＤ３０が発光する。
【００８７】
このような誘導装置１０ｅにおいて、報知制御部１５は、ＮＦＣアンテナ１２２から近いセンサ２０ｅ〜２０ｈで検出コマンドを受信した場合と、ＮＦＣアンテナ１２２から遠いセンサ２０ａ〜２０ｄで検出コマンドを受信した場合とで、報知部１３の報知態様を変える。例えば、報知制御部１５は、ＮＦＣアンテナ１２２から近いセンサ２０ｅで検出コマンドを受信した場合、ＮＦＣアンテナ１２２から遠いセンサ２０ａで検出コマンドを受信した場合に比べて、より短い周期で点滅するように、又は、より大きな強度で発光するように、対応するＬＥＤ３０の発光を制御する。これにより、ＮＦＣアンテナ１２２からの遠近をユーザに認知させることができ、ユーザは、ＮＦＣアンテナ１２２の位置を探しやすくなる。
【００８８】
なお、センサ２０のＮＦＣアンテナ１２２からの距離によってＬＥＤ３０の発光強度を変える場合に、ＮＦＣアンテナ１２２からの距離が互いに異なるセンサ２０ａ、２０ｅの受信感度を異ならせておくことにより、センサ２０ａ、２０ｅとＬＥＤ３０ａが互いに電流検出部１４を介さずに直接接続されている場合であっても、検出コマンドを受信したセンサ２０ａ、２０ｅにより、ＬＥＤ３０ａが互いに異なった強度で発光するようにしても良い。例えば、センサ２０ａとセンサ２０ｅの巻数を異ならせておくことにより、検出コマンドを受信したときのセンサ２０ａとセンサ２０ｅによって検出される電流量を異ならせることで、センサ２０ａとセンサ２０ｅの受信感度を異ならせることができる。また、前述のように、報知部１３ｂの音声出力部１７から音声メッセージを出力することによりユーザを誘導する場合には、検出強度が互いに異なるセンサ２０ａ、２０ｅとＬＥＤ３０ａとを電流検出部１４を介して接続し、当該電流検出部１４で検出された電流の大きさが第１の閾値を超えた場合と第２の閾値を超えた場合とで、音声出力部１７によって異なる音声メッセージを出力するようにしても良い。このように検出した電流の大きさによって報知態様を変えることによって、イニシエータ機能を備える通信端末２００がセンサ２０に近いか遠いかをユーザに報知することができる。
【００８９】
更には、図示しないが、例えば、ＮＦＣアンテナ１２２の位置を囲む矩形５０の任意の隣り合う２辺上に、それぞれ１つずつ配置された２つのセンサ２０ａ，２０ｂ、及びこれらに対応する２つのＬＥＤ３０ａ，３０ｂのみ配置さていてもよい。或いは、図示しないが、例えば、ＮＦＣアンテナ１２２の位置を囲む矩形５０の任意の対向する２辺上に、それぞれ１つずつ配置された２つのセンサ２０ａ，２０ｃ、及びこれらに対応する２つのＬＥＤ３０ａ，３０ｃのみ配置されていてもよい。更には、ＮＦＣアンテナ１２２の位置を囲む矩形５０の任意の３辺上に、それぞれ１つずつ配置された３つのセンサ２０（例えば、センサ２０ａ，２０ｂ，２０ｃ）、及びこれらに対応する３つのＬＥＤ３０（例えば、ＬＥＤ３０ａ，３０ｂ，３０ｃ）のみ配置されていてもよい。なお、これらの変形例における各センサ２０は、矩形５０の辺上に代えて、矩形５０の頂点に配置されていてもよい。
【００９０】
このように、最低限、ＮＦＣアンテナ１２２の位置に対して異なる２つの向きの位置にセンサ２０が配置されていれば、ユーザは、ＮＦＣアンテナ１２２の位置に関する２次元的な情報を得ることができるため、ＮＦＣアンテナ１２２の位置を探しやすくなる。そのため、少ないセンサ２０のみを備える簡易な構成であっても、ユーザがＮＦＣアンテナ１２２の位置を探す手間を軽減することができる。
【００９１】
また、誘導装置が備える複数のセンサは、受信エリアの一部が重なった２以上のセンサ２０を含んでもよい。このような例について、図１５及び図１６を参照して説明する。
【００９２】
図１５に示す誘導装置１０ｆは、ＮＦＣアンテナ１２２を囲むように配置された４つのセンサ２１ａ〜２１ｄを備える。４つのセンサ２１ａ〜２１ｄのそれぞれは、導線がＬ字状に巻かれたコイルを有し、Ｌ字状の受信エリアを有している。４つのセンサ２１ａ〜２１ｄは、ＮＦＣアンテナ１２２を囲む矩形５０の４つの頂点に、それぞれ１つずつ配置されており、矩形５０の４つの辺上のそれぞれにおいて、４つのセンサ２１ａ〜２１ｄのうち隣り合う２つのセンサの受信エリアが重なっている。図１５において、受信エリアが重なっていない領域をＡ，Ｂ，Ｃ，Ｄで示し、受信エリアが重なっている領域をＥ，Ｆ，Ｇ，Ｈで示している。
【００９３】
これに対して、図１６に示す誘導装置１０ｇは、ＮＦＣアンテナ１２２を囲むように配置された４つのセンサ２２ａ〜２２ｄを備える。４つのセンサ２２ａ〜２２ｄのそれぞれは、導線が直線状（長方形状、すなわちＬ字状のように折れ曲がっていない形状）に巻かれたコイルを有し、直線状の受信エリアを有している。４つのセンサ２２ａ〜２２ｄは、ＮＦＣアンテナ１２２を囲む矩形５０の４つの辺上に、それぞれ１つずつ配置されており、矩形５０の４つの頂点のそれぞれにおいて、４つのセンサ２２ａ〜２２ｄのうち隣り合う２つのセンサの受信エリアが重なっている。図１６において、受信エリアが重なっていない領域をＡ，Ｂ，Ｃ，Ｄで示し、受信エリアが重なっている領域をＥ，Ｆ，Ｇ，Ｈで示している。
【００９４】
通信端末２００等のイニシエータ機能を有する端末が、図１５に示す誘導装置１０ｆ又は図１６に示す誘導装置１０ｇにおける受信エリアが重なっていない領域Ａ，Ｂ，Ｃ，Ｄのそれぞれに近接した場合、検出コマンドは、端末が近接した領域に受信エリアを有するいずれか１つのセンサによって受信される。その結果、上記実施形態と同様に、４つのＬＥＤ３０ａ〜３０ｄのうち、検出コマンドを受信した１つのセンサに対応する１つのＬＥＤ３０が発光する。一方で、イニシエータ機能を有する端末が、受信エリアが重なっている領域Ｅ，Ｆ，Ｇ，Ｈのそれぞれに近接した場合、検出コマンドは、端末が近接した領域に受信エリアを有する２つのセンサによって受信される。その結果、４つのＬＥＤ３０ａ〜３０ｄのうち、検出コマンドを受信した２つのセンサに対応する２つのＬＥＤ３０が発光する。
【００９５】
例えば、図１５に示す誘導装置１０ｆにおいて、センサ２１ａの受信エリアとセンサ２１ｂの受信エリアとが重なっている領域Ｅに端末が近接した場合、センサ２１ａに対応するＬＥＤ３０ａと、センサ２１ｂに対応するＬＥＤ３０ｂとが、どちらも発光する。その結果、ユーザは、発光した２つのＬＥＤ３０ａ，３０ｂの間あたりの位置に、ＮＦＣアンテナ１２２があることを知ることができる。或いは、図１６に示す誘導装置１０ｇにおいて、センサ２２ｃの受信エリアとセンサ２２ｄの受信エリアとが重なっている領域Ｇに端末が近接した場合、センサ２２ｃに対応するＬＥＤ３０ｃと、センサ２２ｄに対応するＬＥＤ３０ｄとが、どちらも発光する。その結果、ユーザは、発光した２つのＬＥＤ３０ｃ，３０ｄの間あたりの位置に、ＮＦＣアンテナ１２２があることを知ることができる。
【００９６】
このように、複数のセンサを受信エリアの一部が重なるように配置することで、複数のＬＥＤの発光態様（発光パターン）を増やすことができる。その結果、誘導装置１０ｆ，１０ｇは、ＮＦＣアンテナ１２２の位置に関するより多くの情報を、ユーザに報知することができる。なお、本変形例では、隣り合うセンサ２１の一部が重なるように配置することにより、通信端末２００がＮＦＣアンテナ１２２に対して上、下、左、右、右下、左下、左上、右上の８つの向きにずれた位置（図１５に示す領域Ｅ，Ｆ，Ｇ，Ｈ，Ａ，Ｂ，Ｃ，Ｄ）にかざされたときに、それぞれ異なる態様でＬＥＤ２０の発光を制御することで、ユーザに通信端末２００を誘導させるようにしたが、図１７に示す誘導装置１０ｈのように、これらの互いにずれた８つの位置（図１７に示す領域Ａ〜Ｈ）にそれぞれ別の８つのセンサ２３ａ〜２３ｈを設けるようにしても良い。この場合に、ＬＥＤ３０を点灯させる態様は、図１５に示したものと同様であって良い。即ち、例えば、領域Ａに設けたセンサによって電流が検知された場合には、１つのＬＥＤ３０ａを発光させ、領域Ｅに設けた別のセンサによって電流が検知された場合には、２つのＬＥＤ３０ａ、３０ｂを発光させるようにして良い。
【００９７】
また、誘導装置が備える複数のセンサのうちの少なくとも１つのセンサは、一の領域と他の領域とで巻数が異なるものであって良い。このような例について、図１８を参照して説明する。
【００９８】
図１８に示す誘導装置１０ｉは、ＮＦＣアンテナ１２２を囲むように配置された４つのセンサ２４ａ〜２４ｄを備える。４つのセンサ２４ａ〜２４ｄのそれぞれは、導線が矩形状に巻かれたコイルを有し、矩形状の受信エリアを有している。また、４つのセンサ２４ａ〜２４ｄは、巻数が第１の既定値（例えば、１０回）である第１受信エリア（２４１ａ〜２４１ｄ）と巻数が第２の既定値（例えば、２０回）である第２受信エリア（２４１ｅ〜２４１ｈ）とを含み、ＮＦＣアンテナ１２２の位置からの向きが同じであって、ＮＦＣアンテナ１２２の位置からの距離が遠い位置に第１受信エリアが配置され、距離が近い位置に第２受信エリアが配置されるように設けられている。
【００９９】
通信端末２００等のイニシエータ機能を有する端末が、図１８に示す誘導装置１０ｉのセンサ２４ａ〜２４ｄにおける巻数が１回の第１受信エリア（２４１ａ〜２４１ｄ）のいずれか１つのエリアに近接した場合、検出コマンドは、端末が近接した当該受信エリアを有するいずれか１つのセンサによって受信される。その結果、上記実施形態と同様に、４つのＬＥＤ３０ａ〜３０ｄのうち、検出コマンドを受信したいずれか１つのセンサ２４ａ〜２４ｄに対応する１つのＬＥＤ３０が、第１の強度で発光する。一方で、イニシエータ機能を有する端末が、誘導装置１０ｉのセンサ２４ａ〜２４ｄにおける巻数が２回の第２受信エリア（２４１ｅ〜２４１ｈ）のいずれか１つのエリアに近接した場合、検出コマンドは、端末が近接した当該受信エリアを有するいずれか１つのセンサによって受信される。その結果、４つのＬＥＤ３０ａ〜３０ｄのうち、検出コマンドを受信したいずれか１つのセンサ２４ｅ〜２４ｈに対応する１つのＬＥＤ３０が、第２の強度で発光する。ここで、第２の強度は第１の強度よりも大きい強度である。従って、ユーザが通信端末２００を誘導装置１０ｉ上にかざして移動させたときに、まずある強度でＬＥＤ３０ａが光り、次いでより大きい強度で同じＬＥＤ３０ａが光った場合には、ユーザは、たったいま通信端末２００を動かした向きに沿って通信端末２００をさらに移動させれば、通信端末２００をＮＦＣアンテナ１２２上に配置できる可能性が高いことを知ることができる。
【０１００】
このように、検出強度が互いに異なる複数の受信エリアを有するセンサを、これらの複数の受信エリアが、ＮＦＣアンテナ１２２を中心とした仮想的な円の半径上において該中心からの距離が異なる位置に配置されるように設けることで、センサ２４ａ〜２４ｄとＬＥＤ３０ａ〜３０ｄが互いに電流検出部１４を介さずに直接接続されているような簡易な構成であっても、ユーザが通信端末２００をＮＦＣアンテナ１２２上に移動するように誘導することができる。
【０１０１】
上記実施形態では、本発明に係る電子機器として、印刷装置を例にとって説明した。しかし、本発明に係る電子機器は、印刷装置に限らない。例えば、電子機器は、テレビやエアコン等の家電製品、電子辞書やスタンプメーカー等の電子文具、スキャナ、ファクシミリ、デジタルカメラ、音響機器、ゲーム機等、通信端末と近接無線通信できるものであれば、他の種類の機器であってもよい。
【０１０２】
また、上記実施形態では、通信端末２００として、スマートフォンを例にとって説明した。しかし、本発明において、通信端末は、スマートフォンに限らない。例えば、通信端末は、一般的なＰＣ（Personal Computer）、タブレット端末、又はウェアラブル端末等、電子機器との間で近接無線通信できるものであれば、他の種類の端末であってもよい。
【０１０３】
ターゲットとして機能する電子機器のサイズが大きい方が、機器内のアンテナの位置を探す労力が大きいことが想定されるため、本発明の効果が大きいと考えられる。しかしながら、本発明の適用例は、これに限られるものではない。例えば駅の自動改札機等のような電子決済システムでは、イニシエータ側の機器のサイズの方が大きくて、ターゲット側の機器のサイズが小さい。このような場合であっても、機器間の位置合わせがずれていた場合に、ターゲット側の機器のアンテナの位置に関する情報を報知することによって、機器間の位置合わせにおけるユーザの手間を軽減できる一定の効果がある。
【０１０４】
上記実施形態では、誘導装置１０は、本発明に係る電子機器として機能する印刷装置１００内に備えられていた。しかしながら、誘導装置１０は、印刷装置１００等のアンテナを有する様々な機器に、着脱可能に取り付けられるものであってもよい。この場合、誘導装置１０が単独で、本発明に係る電子機器として機能することができる。
【０１０５】
上記実施形態では、誘導装置１０は、無線信号を受信したセンサに対応する報知素子としてのＬＥＤを発光させることにより、予め定められた位置に関する情報を報知したが、本発明の他の実施形態において、誘導装置１０は、無線信号を受信したセンサに対応する報知素子として、当該センサに接続された音声出力素子（例えばスピーカ等）から音声を出力させることにより、予め定められた位置に関する情報を報知するようにしてもよい。この場合、ユーザは音声が聞こえて来た方へ通信端末２００を移動することで、当該通信端末２００を電子機器１００のＮＦＣアンテナ１２２の近くへ移動させることができる。また、報知素子としてＬＥＤといった発光素子を用いた場合の報知方法は、必ずしも上述の実施形態のように発光と非発光との切替である必要はなく、例えば、発光色を変化させることにより報知してもよいし、電子機器１００のＮＦＣアンテナからの距離によって発光色や出力音声の周波数を徐々に高く又は低く変化させてもよい。
【０１０６】
上記実施形態では、印刷装置１００と通信端末２００とは、ＮＦＣを介して通信した。しかし、本発明は、ＮＦＣに限らず、例えばＴｒａｎｓｆｅｒＪｅｔ（登録商標）等のような他の方式の近接無線通信によって通信する機器、及び、ＦｅｌｉＣａ（登録商標）、ＭＩＦＡＲＥ（登録商標）等のような近接無線通信又はＲＦＩＤ（Radio Frequency Identifier）による無線通信を介して通信する機器に対しても適用できる。すなわち、本発明は、通信エリアが極近距離に限られるため、ユーザがアンテナの位置を見付けにくいことが想定される様々な近接無線通信を介して通信する機器に、適用することができる。
【０１０７】
また、本発明の他の実施形態において、報知手段が報知する情報は、ＮＦＣ等のアンテナの位置に関する情報に限らず、ＮＦＣ等のアンテナ以外の自機における予め定められた位置に関する情報を報知してもよい。例えば、探索対象の位置は、電子機器の電源の位置等、自機の中でどこにあるのかが分かりにくい部分の位置であってもよい。このような探索対象の位置の周囲に上述したような誘導装置１０が設置され、通信端末２００等のイニシエータ機能を有する端末が誘導装置１０に近接すると、端末をこの探索対象の位置に誘導するように、報知手段がＬＥＤや音声によってこの位置に関する情報を報知してもよい。
【０１０８】
また、本発明の他の実施形態として、本発明に係る電子機器はワイヤレス給電装置であってもよい。この場合、上記の実施形態における電子機器のＮＦＣアンテナはワイヤレス給電装置の給電部であってよく、また、上記の実施形態における通信端末のＮＦＣアンテナは通信端末の受電部であってよい。さらに、これらのワイヤレス給電装置の給電部や通信端末の受電部はそれぞれがＮＦＣアンテナを兼ねていてもよい。ワイヤレス給電においては、送電効率を高めるため、給電装置の給電部と通信端末の受電部とが互いにずれないようにできるだけ近くで対向配置させた状態を保持して受給電を行うことが望ましい。本発明をワイヤレス給電装置及び当該給電装置を利用して受電を行う通信端末に適用した場合、ワイヤレス給電装置の給電部の位置に関する情報を報知することによって、ユーザに通信端末の給電部をワイヤレス給電装置の給電部の近くに移動するように誘導させることができる。
【０１０９】
また、本発明の他の実施形態において、センサ２０〜２４は、単なるコイルであってもよいものとして説明したが、これに限らず、センサ２０〜２４は、ＮＦＣアンテナ１２２と同様にＮＦＣ−ＴＡＧを備えていてもよく、各ＮＦＣ−ＴＡＧは、上述の実施形態におけるセンサ２０〜２４と同様のコイルを搭載してよい。センサとしてのこれらのＮＦＣ−ＴＡＧは、通信端末２００が発信する無線信号を受信する受信部と、予め定めた情報を記憶する記憶部と、記憶部に記憶された情報を送信する送信部とを備えている。この場合、４つのＮＦＣ−ＴＡＧのそれぞれに固有の情報を予め記憶させておく。通信端末２００が発信する無線信号を受信部により受信したいずれかのセンサに、当該センサの記憶部に記憶された固有の情報を、当該センサの送信部により、その無線信号を発信した通信端末２００に対し送信させ、この通信端末２００が当該固有の情報をＮＦＣアンテナ（受信部）２２２により受信するようにしてもよい。また、センサ２０〜２４のそれぞれに予め記憶させておく固有の情報は、各センサの位置に関する情報であってよい。例えば、図５に示すセンサ２０ａに、ユーザが誘導装置に対して適切な相対位置から向き合っているときのＮＦＣアンテナ１２２に対する相対的な位置情報として、「下」という位置情報を記憶させておき、同様に、センサ２０ｂ〜２０ｄには、「左」「上」「右」という位置情報を記憶させておくことができる。各位置情報を受信した通信端末２００は、ＣＰＵ２１０が表示部（報知手段）２１３を制御することにより、表示部２１３にその位置情報に基づいた情報を報知するようにしてもよい。これにより、例えば、センサ２０ａから「上」という位置情報を受信した場合、通信端末２００は表示部２１３や音声出力部を介して、「もう少し上側の位置に端末をかざして下さい。」という、ユーザに通信端末２００をＮＦＣアンテナ１２２の位置へ移動するように誘導させるための情報を、報知するようにできる。
【０１１０】
また、上記実施形態では、印刷装置１００及び通信端末２００は、それぞれＣＰＵ１１０及びＣＰＵ２１０を備えていた。しかし、本発明において、電子機器及び通信端末は、ＣＰＵの代わりに、ＡＳＩＣ（Application Specific Integrated Circuit）等の専用の制御回路を備えていてもよい。
【０１１１】
なお、本発明に係る機能を実現するための構成を予め備えた電子機器及び通信端末として提供できることはもとより、プログラムの適用により、既存の情報処理装置等を、本発明に係る電子機器又は通信端末として機能させることもできる。すなわち、上記実施形態で例示した印刷装置１００又は通信端末２００による各機能構成を実現させるためのプログラムを、既存の情報処理装置等を制御するＣＰＵ等が実行できるように適用することで、本発明に係る電子機器又は通信端末として機能させることができる。また、本発明に係る報知方法は、報知システム（上記実施形態における無線通信システム１）、電子機器（上記実施形態における印刷装置１００又は誘導装置１０）、及び通信端末（上記実施形態における通信端末２００）を用いて実施できる。
【０１１２】
また、このようなプログラムの適用方法は任意である。プログラムを、例えば、フレキシブルディスク、ＣＤ（Compact Disc）−ＲＯＭ、ＤＶＤ（Digital Versatile Disc）−ＲＯＭ、メモリカード等のコンピュータ読み取り可能な記憶媒体に格納して適用できる。さらに、プログラムを搬送波に重畳し、インターネットなどの通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【０１１３】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【０１１４】
（付記１）
無線信号を受信するセンサであって、互いに異なる位置に配置された複数のセンサと、
前記複数のセンサのそれぞれにおいて前記無線信号が受信されると、前記複数のセンサのうちの前記無線信号を受信したセンサに応じた態様で、予め定められた位置に関する情報を報知する報知手段と、
を備えることを特徴とする電子機器。
【０１１５】
（付記２）
前記無線信号を発信する通信端末と、無線通信により通信するためのアンテナをさらに備え、
前記複数のセンサのそれぞれは、前記アンテナに重ならない位置に配置され、
前記報知手段は、前記予め定められた位置に関する情報として、前記アンテナの位置に関する情報を報知する、
ことを特徴とする付記１に記載の電子機器。
【０１１６】
（付記３）
前記無線信号を発信する通信端末に給電するための給電部をさらに備え、
前記複数のセンサは、前記給電部の外側に配置され、
前記報知手段は、前記予め定められた位置に関する情報として、前記給電部の位置に関する情報を報知する、
ことを特徴とする付記１に記載の電子機器。
【０１１７】
（付記４）
前記報知手段は、複数の報知素子を備え、前記複数のセンサのそれぞれにおいて前記無線信号が受信されると、前記複数の報知素子のうち、前記無線信号が受信されたセンサに対応する報知素子が報知することによって、前記予め定められた位置に関する情報を報知する、
ことを特徴とする付記１から３のいずれか１つに記載の電子機器。
【０１１８】
（付記５）
前記複数の報知素子のそれぞれは、前記予め定められた位置を基準として、前記複数のセンサのうちの対応するセンサが配置されている側とは逆側に配置されている、
ことを特徴とする付記４に記載の電子機器。
【０１１９】
（付記６）
前記複数のセンサのそれぞれにおいて、前記無線信号によって電流が誘起され、
前記複数の報知素子のそれぞれは、前記複数のセンサのうちの対応するセンサに接続された発光素子であり、当該対応するセンサから供給された前記電流によって発光する、
ことを特徴とする付記４又は５に記載の電子機器。
【０１２０】
（付記７）
前記複数のセンサのそれぞれにおいて、前記無線信号によって電流が誘起され、
前記複数のセンサのそれぞれにおいて誘起された前記電流を検出する電流検出手段と、
前記電流検出手段によって前記電流が検出されると、前記複数のセンサのうちの当該電流が検出されたセンサに応じた態様で、前記予め定められた位置に関する情報を報知するように、前記報知手段を制御する報知制御手段と、をさらに備える、
ことを特徴とする付記１から５のいずれか１つに記載の電子機器。
【０１２１】
（付記８）
前記複数の報知素子のそれぞれは前記複数のセンサのうちの対応するセンサに接続された音声出力素子である、
ことを特徴とする付記４又は５に記載の電子機器。
【０１２２】
（付記９）
前記複数のセンサは、複数の報知素子に対応付けられたセンサを含む、
ことを特徴とする付記１から８のいずれか１つに記載の電子機器。
【０１２３】
（付記１０）
前記複数のセンサは、前記予め定められた位置を囲む矩形の２つ以上の辺上又は頂点に対応する位置に、それぞれ１つずつ配置されている、
ことを特徴とする付記１から９のいずれか１つに記載の電子機器。
【０１２４】
（付記１１）
前記複数のセンサは、受信エリアの一部が互いに重なった２以上のセンサを含む、
ことを特徴とする付記１から１０のいずれか１つに記載の電子機器。
【０１２５】
（付記１２）
前記複数のセンサは、前記予め定められた位置からの向きが同じであって、前記予め定められた位置から異なる距離の位置に配置された２以上のセンサを含む、
ことを特徴とする付記１から１０のいずれか１つに記載の電子機器。
【０１２６】
（付記１３）
前記予め定められた位置から異なる距離の位置に配置された２以上のセンサは、前記無線信号の受信感度が互いに異なる２つのセンサを含む、
ことを特徴とする付記１２に記載の電子機器。
【０１２７】
（付記１４）
前記複数のセンサは、前記無線信号の受信感度が互いに異なる複数の受信エリアを有するセンサを含み、
前記複数の受信エリアを有するセンサは、受信感度の大きさが第１の感度である第１受信エリアと受信感度の大きさが第２の感度である第２受信エリアとが、前記予め定められた位置からの向きが同じであって、前記予め定められた位置から異なる距離の位置に配置するように設けられている、
ことを特徴とする付記１から１０のいずれか１つに記載の電子機器。
【０１２８】
（付記１５）
無線信号を受信するセンサであって、互いに異なる位置に配置された複数のセンサを備える電子機器に、前記複数のセンサのそれぞれにおいて前記無線信号が受信されると、前記複数のセンサのうちの前記無線信号を受信したセンサに応じた態様で、予め定められた位置に関する情報を報知させるため、前記電子機器に前記無線信号を発信するアンテナを備えることを特徴とする通信端末。
【０１２９】
（付記１６）
無線信号を発信する通信端末と、
前記通信端末から発信された無線信号を受信するセンサであって、互いに異なる位置に配置された複数のセンサと、前記複数のセンサのそれぞれにおいて前記無線信号が受信されると、前記複数のセンサのうちの前記無線信号を受信したセンサに応じた態様で、予め定められた位置に関する情報を報知する報知手段と、を有する電子機器と、
を備えることを特徴とする報知システム。
【０１３０】
（付記１７）
無線信号を受信する受信部と、固有の情報を記憶した記憶部と、前記無線信号が受信されると、前記記憶部に記憶された前記固有の情報を外部へ送信する送信部と、をそれぞれが備える複数のセンサに、前記無線信号を発信するアンテナと、
前記複数のセンサのいずれか一つのセンサから送信された、当該一つのセンサに対応付けられた前記固有の情報を受信する受信部と、
前記受信した固有の情報に基づいて、予め定められた位置に関する情報を報知する報知手段と、
を備えることを特徴とする通信端末。
【０１３１】
（付記１８）
互いに異なる位置に配置された複数のセンサのそれぞれによって、無線信号を受信し、
前記複数のセンサのそれぞれにおいて前記無線信号が受信されると、前記複数のセンサのうちの前記無線信号を受信したセンサに応じた態様で、予め定められた位置に関する情報を報知する、
ことを特徴とする報知方法。
【０１３２】
（付記１９）
無線信号を受信する受信部と、固有の情報を記憶した記憶部と、前記無線信号が受信されると、前記記憶部に記憶された前記固有の情報を外部へ送信する送信部と、をそれぞれが備える複数のセンサに、前記無線信号を発信し、
前記複数のセンサのいずれか一つのセンサから送信された、当該一つのセンサに対応付けられた前記固有の情報を受信し、
前記受信した固有の情報に基づいて、予め定められた位置に関する情報を報知する、
ことを特徴とする報知方法。
【符号の説明】
【０１３３】
１…無線通信システム、１０，１０ａ，１０ｂ，１０ｄ，１０ｅ，１０ｆ，１０ｇ，１０ｈ，１０ｉ…誘導装置、１２…受信部、１３，１３ｂ…報知部、１４…電流検出部、１５，１５ｂ…報知制御部、１７…音声出力部、２０，２０ａ，２０ｂ，２０ｃ，２０ｄ，２０ｅ，２０ｆ，２０ｇ，２０ｈ，２１ａ，２１ｂ，２１ｃ，２１ｄ，２２ａ，２２ｂ，２２ｃ，２２ｄ，２３ａ，２３ｂ，２３ｃ，２３ｄ，２３ｅ，２３ｆ，２３ｇ，２３ｈ，２４ａ，２４ｂ，２４ｃ，２４ｄ…センサ、３０，３０ａ，３０ｂ，３０ｃ，３０ｄ…ＬＥＤ、５０…矩形、１００…印刷装置、１１０，２１０…ＣＰＵ、１１１，２１１…メモリ、１２１，２２１…ＮＦＣ通信部、１２２，２２２…ＮＦＣアンテナ、１３１，２３１…無線ＬＡＮ通信部、１３２，２３２…無線ＬＡＮアンテナ、１５０…印刷制御部、１５１…印刷部、２００…通信端末、２１２…入力部、２１３…表示部、２４１ａ，２４１ｂ，２４１ｃ，２４１ｄ，２４１ｅ，２４１ｆ，２４１ｇ，２４１ｈ…受信エリア
【図１】
0006610011.tif 000002
【図２】
0006610011.tif 000003
【図３】
0006610011.tif 000004
【図４】
0006610011.tif 000005
【図５】
0006610011.tif 000006
【図６】
0006610011.tif 000007
【図７】
0006610011.tif 000008
【図８】
0006610011.tif 000009
【図９】
0006610011.tif 000010
【図１０】
0006610011.tif 000011
【図１１】
0006610011.tif 000012
【図１２】
0006610011.tif 000013
【図１３】
0006610011.tif 000014
【図１４】
0006610011.tif 000015
【図１５】
0006610011.tif 000016
【図１６】
0006610011.tif 000017
【図１７】
0006610011.tif 000018
【図１８】
0006610011.tif 000019